(57)【特許請求の範囲】
【請求項１】
ブースタ装置と接続可能なアンテナ装置であって、
アンテナ本体と、
前記アンテナ本体を収容し、外周面および該外周面に囲まれた背面を有する筐体とを備え、
前記筐体の前記背面には、ブースタ装置が取り付けられるブースタ装置固定部が前記筐体と一体的に設けられており、
前記ブースタ装置固定部は、ブースタ装置の一部と係合してブースタ装置を保持する係合部を含み、
前記係合部は、ブースタ装置を前記筐体の前記背面に沿ってスライド移動させて前記ブースタ装置固定部に対して脱着する際に弾性変形しつつブースタ装置と摺接する、アンテナ装置。
【請求項２】
前記ブースタ装置固定部は、
前記背面と直交する方向から見て、前記背面の外周側から内周側に向けて延在する第１壁面部と、
前記背面と直交する方向から見て、前記第１壁面部の延在方向と交差する方向に延在する第２壁面部とをさらに含み、
前記係合部は、前記第１壁面部と面しており、かつ、ブースタ装置が前記ブースタ装置固定部に取り付けられている状態において、前記第１壁面部および前記第２壁面部とともにブースタ装置の少なくとも一部を囲い込んでブースタ装置を保持する、請求項１に記載のアンテナ装置。
【請求項３】
前記第１壁面部が直線状に延在している、請求項２に記載のアンテナ装置。
【請求項４】
前記筐体は、前記背面と直交する方向から見て、長手方向および該長手方向と直交する短手方向を有し、
前記第１壁面部が前記長手方向に延在し、
前記第２壁面部が前記短手方向に延在している、請求項２または請求項３に記載のアンテナ装置。
【請求項５】
前記筐体は、前記背面と直交する方向から見て、長手方向および該長手方向と直交する短手方向を有し、
前記第１壁面部が前記短手方向に延在し、
前記第２壁面部が前記長手方向に延在している、請求項２または請求項３に記載のアンテナ装置。
【請求項６】
前記アンテナ本体は、前記筐体の内部の中央に配置されており、
前記ブースタ装置固定部は、前記背面と直交する方向から見て、前記アンテナ本体と重ならない位置でブースタ装置を支持する位置に設けられている、請求項１から請求項５のいずれか１項に記載のアンテナ装置。
【発明の詳細な説明】
【技術分野】
【０００１】
本発明は、アンテナ装置に関し、特に、ブースタ装置と接続可能なアンテナ装置に関する。
【背景技術】
【０００２】
アンテナ装置で受信したテレビ信号などを増幅して受信機に供給するブースタ装置の構成を開示した先行文献として、特開２００１−１６８７４９号公報(特許文献１)がある。特許文献１に記載されたブースタ装置は、電源部と増幅部とを分離可能に設けられている。電源部と増幅部とが互いに分離して使用される際には、電源部は屋内に設置され、増幅部は、屋外のアンテナ装置の近辺に取り付けられている。
【先行技術文献】
【特許文献】
【０００３】
【特許文献１】特開２００１−１６８７４９号公報
【発明の概要】
【発明が解決しようとする課題】
【０００４】
ブースタ装置の増幅部をアンテナ装置の近辺に取り付けるためには、取付金具などの部材が別途必要となる。
【０００５】
本発明は上記の問題点に鑑みてなされたものであって、ブースタ装置を取り付けるための取付部材を不要にすることができるアンテナ装置を提供することを目的とする。
【課題を解決するための手段】
【０００６】
本発明に基づくアンテナ装置は、ブースタ装置と接続可能なアンテナ装置である。アンテナ装置は、アンテナ本体と、アンテナ本体を収容し、外周面および外周面に囲まれた背面を有する筐体とを備える。筐体の背面には、ブースタ装置が取り付けられるブースタ装置固定部が筐体と一体的に設けられている。ブースタ装置固定部は、ブースタ装置の一部と係合してブースタ装置を保持する係合部を含む。係合部は、ブースタ装置を筐体の背面に沿ってスライド移動させてブースタ装置固定部に対して脱着する際に弾性変形しつつブースタ装置と摺接する。
【０００７】
本発明の一形態においては、ブースタ装置固定部は、上記背面と直交する方向から見て、上記背面の外周側から内周側に向けて延在する第１壁面部と、上記背面と直交する方向から見て、第１壁面部の延在方向と交差する方向に延在する第２壁面部とをさらに含む。係合部は、第１壁面部と面しており、かつ、ブースタ装置がブースタ装置固定部に取り付けられている状態において、第１壁面部および第２壁面部とともにブースタ装置の少なくとも一部を囲い込んでブースタ装置を保持する。
【０００８】
本発明の一形態においては、第１壁面部が直線状に延在している。
本発明の一形態においては、筐体は、上記背面と直交する方向から見て、長手方向および長手方向と直交する短手方向を有する。第１壁面部が上記長手方向に延在している。第２壁面部が上記短手方向に延在している。
【０００９】
本発明の一形態においては、筐体は、上記背面と直交する方向から見て、長手方向および長手方向と直交する短手方向を有する。第１壁面部が上記短手方向に延在している。第２壁面部が上記長手方向に延在している。
【００１０】
本発明の一形態においては、第１壁面部の上記背面の外周側に位置する端部は、上記背面の外縁に位置している。第２壁面部は、第１壁面部の上記端部より上記背面の内周側に位置している。
【００１１】
本発明の一形態においては、アンテナ本体は、筐体の内部の中央に配置されている。ブースタ装置固定部は、上記背面と直交する方向から見て、アンテナ本体と重ならない位置でブースタ装置を支持する位置に設けられている。
【発明の効果】
【００１２】
本発明によれば、ブースタ装置を取り付けるための取付部材を不要にすることができる。
【図面の簡単な説明】
【００１３】
【図１】本発明の実施形態１に係るアンテナ装置にブースタ装置が接続されている状態を示す背面斜視図である。
【図２】本発明の実施形態１に係るアンテナ装置とブースタ装置とを分離して示す分解斜視図である。
【図３】本発明の実施形態１に係るアンテナ装置のブースタ装置固定部を拡大して示す背面図である。
【図４】本発明の実施形態１に係るアンテナ装置に接続されるブースタ装置の外観を示す側面図である。
【図５】本発明の実施形態１に係るアンテナ装置にブースタ装置が接続されている状態のブースタ装置固定部を拡大して示す背面図である。
【図６】本発明の実施形態１に係るアンテナ装置にブースタ装置が接続されている状態を図２と同じ方向から見た背面斜視図である。
【図７】本発明の実施形態２に係るアンテナ装置にブースタ装置が接続されている状態を示す背面斜視図である。
【図８】本発明の実施形態２に係るアンテナ装置に接続されるブースタ装置を図７の矢印ＶＩＩＩ方向から見た平面図である。
【図９】本発明の実施形態２に係るアンテナ装置のブースタ装置固定部を拡大して示す背面図である。
【発明を実施するための形態】
【００１４】
以下、本発明の各実施形態に係るアンテナ装置について図面を参照して説明する。以下の実施形態の説明においては、図中の同一または相当部分には同一符号を付して、その説明は繰り返さない。
【００１５】
(実施形態１)
図１は、本発明の実施形態１に係るアンテナ装置にブースタ装置が接続されている状態を示す背面斜視図である。図２は、本発明の実施形態１に係るアンテナ装置とブースタ装置とを分離して示す分解斜視図である。図３は、本発明の実施形態１に係るアンテナ装置のブースタ装置固定部を拡大して示す背面図である。図４は、本発明の実施形態１に係るアンテナ装置に接続されるブースタ装置の外観を示す側面図である。
【００１６】
図１〜４に示すように、本発明の実施形態１に係るアンテナ装置１００は、ブースタ装置１０と接続可能なアンテナ装置である。アンテナ装置１００は、平面型のアンテナ装置であり、略直方体状の外形を有する。アンテナ装置１００は、アンテナ本体１１０と筐体１２０とを備える。筐体１２０は、アンテナ本体１１０を収容し、外周面１２１および外周面１２１に囲まれた背面１２２を有する。アンテナ本体１１０は、筐体１２０の内部の中央に配置されている。
【００１７】
筐体１２０は、筐体１２０の背面１２２と直交する方向から見て、長手方向Ｘ、および、長手方向Ｘと直交する短手方向Ｙを有する。筐体１２０は、長手方向Ｘおよび短手方向Ｙの両方に直交する厚さ方向Ｚをさらに有する。筐体１２０は、樹脂の射出成形により形成されている。
【００１８】
筐体１２０の背面１２２には、ブースタ装置１０が取り付けられるブースタ装置固定部１３０が筐体１２０と一体的に設けられている。ブースタ装置固定部１３０は、筐体１２０の背面１２２と直交する方向から見て、アンテナ本体１１０と重ならない位置でブースタ装置１０を支持する位置に設けられている。具体的には、ブースタ装置固定部１３０は、筐体１２０の背面１２２における長手方向Ｘの一方寄りに設けられている。
【００１９】
筐体１２０の背面１２２には、突出部１４０が筐体１２０と一体的に設けられている。突出部１４０は、筐体１２０の背面１２２における長手方向Ｘの他方寄りに設けられている。突出部１４０は、支持金具２と連結される。
【００２０】
支持金具２は、アンテナ装置１００の取付対象物１に固定されてアンテナ装置１００を支持する。図１においては、取付対象物１としてポールを図示しているが、取付対象物１は、ポールに限られず、壁面などであってもよい。取付対象物１がポールである場合には、支持金具２は、２本の頭付ボルト４によって挟み板３と組み付けられることにより、取付対象物１に固定される。
【００２１】
筐体１２０の背面１２２には、端子カバー１５０が筐体１２０と一体的に設けられている。端子カバー１５０は、筐体１２０の背面１２２における長手方向Ｘの略中央に設けられている。端子カバー１５０は、図示しない２つのケーブル接続用端子を覆っている。２つのケーブル接続用端子の各々には、ケーブル１５１が接続される。ケーブル接続用端子に接続されたケーブル１５１の接栓の向きは、本実施形態においては長手方向Ｘに沿っているが、これに限られず、任意の向きであってよい。
【００２２】
図１，２，４に示すように、ブースタ装置１０は、略直方体状の外形を有している。ブースタ装置１０は、高さ方向、高さ方向と直交する幅方向、および、高さ方向および幅方向の両方に直交する厚さ方向をさらに有する。
【００２３】
ブースタ装置１０は、２本の脚部１１を含む。２本の脚部１１の各々は、ブースタ装置１０の背面から突出している。２本の脚部１１は、互いに上記幅方向において間隔をあけて、上記高さ方向に平行に延在している。２本の脚部１１の各々には、ブースタ装置１０の固定用の木ねじ２０が挿通される貫通孔１１ｈが設けられている。
【００２４】
ブースタ装置１０は、上記高さ方向の一方側から突出した３つの端子をさらに含む。３つの端子は、第１入力端子１２、第２入力端子１３および出力端子１４からなる。第１入力端子１２は、ＵＨＦ(Ultra High Frequency)用の入力端子である。第２入力端子１３は、ＣＳ(Communication Satellite)用およびＢＳ(Broadcasting Satellite)用の入力端子である。第１入力端子１２および第２入力端子１３の少なくとも一方に、ケーブル１５１が接続される。出力端子には、受信機に接続されたケーブルが接続される。なお、ブースタ装置１０が含む端子の数は、３つに限られず、入力端子と出力端子との少なくとも２つ以上であればよい。
【００２５】
図５は、本発明の実施形態１に係るアンテナ装置にブースタ装置が接続されている状態のブースタ装置固定部を拡大して示す背面図である。図６は、本発明の実施形態１に係るアンテナ装置にブースタ装置が接続されている状態を図２と同じ方向から見た背面斜視図である。
【００２６】
図２，３，５に示すように、ブースタ装置固定部１３０は、ブースタ装置１０の脚部１１と係合してブースタ装置１０を保持する係合部１３１を含む。ブースタ装置固定部１３０は、筐体１２０の背面１２２と直交する方向から見て、背面１２２の外周側から内周側に向けて延在する第１壁面部１３２と、背面１２２と直交する方向から見て、第１壁面部１３２の延在方向と交差する方向に延在する第２壁面部１３３とをさらに含む。
【００２７】
本実施形態においては、係合部１３１、第１壁面部１３２および第２壁面部１３３の各々は、背面１２２から突出した位置に設けられているが、これに限られず、背面１２２から凹んだ位置に設けられていてもよい。
【００２８】
ブースタ装置固定部１３０は、ブースタ装置１０の２本の脚部１１に対応して、２つの係合部１３１、２つの第１壁面部１３２、および、２つの第２壁面部１３３を含んでいる。すなわち、１つの係合部１３１、１つの第１壁面部１３２、および、１つの第２壁面部１３３が、１つの脚部１１に対応している。よって、ブースタ装置１０の１つの脚部１１のみと係合してブースタ装置１０を保持する場合には、ブースタ装置固定部１３０が、１つの係合部１３１と１つの第１壁面部１３２と１つの第２壁面部１３３とから構成されていてもよい。
【００２９】
第１壁面部１３２は、直線状に延在している。第１壁面部１３２は、長手方向Ｘに延在している。第２壁面部１３３が短手方向Ｙに延在している。第１壁面部１３２の背面１２２の外周側に位置する端部は、背面１２２の外縁に位置している。第２壁面部１３３は、第１壁面部１３２の上記端部より背面１２２の内周側に位置している。
【００３０】
第１壁面部１３２の上記端部は、ブースタ装置１０をブースタ装置固定部１３０内に案内する第３壁面部１３４と繋がっている。第３壁面部１３４は、長手方向Ｘにおいて背面１２２の外周側に行くに従って、短手方向Ｙにおいて第１壁面部１３２から離れるように延在している。
【００３１】
係合部１３１は、第１壁面部１３２と面している。係合部１３１の長手方向Ｘの他方寄りの端部１３１ｂは、背面１２２に固定されている。係合部１３１の長手方向Ｘの一方寄りの端部には、第１壁面部１３２側に突出した突起１３１ｐが設けられている。係合部１３１は、長手方向Ｘの他方寄りの端部１３１ｂを基点にして、短手方向Ｙに弾性変形可能に設けられている。
【００３２】
係合部１３１は、ブースタ装置１０を筐体１２０の背面１２２に沿ってスライド移動させてブースタ装置固定部１３０に対して脱着する際に弾性変形しつつブースタ装置１０と摺接する。具体的には、ブースタ装置１０の脚部１１を第１壁面部１３２に沿ってスライド移動させることにより、脚部１１によって押圧された突起１３１ｐが第１壁面部１３２から離れるように係合部１３１が弾性変形する。この状態において、脚部１１と突起１３１ｐとが摺接する。
【００３３】
図５に示すように、係合部１３１は、ブースタ装置１０がブースタ装置固定部１３０に取り付けられている状態において、第１壁面部１３２および第２壁面部１３３とともにブースタ装置１０の脚部１１を囲い込んでブースタ装置１０を保持する。この状態においては、突起１３１ｐが元の位置に戻るように係合部１３１が弾性変形し、突起１３１ｐはブースタ装置１０の脚部１１の長手方向Ｘの一方寄りの端部と接触している。
【００３４】
図２，３，５に示すように、筐体１２０の背面１２２には、ブースタ装置１０がブースタ装置固定部１３０に取り付けられている状態における脚部１１の貫通孔１１ｈの位置に対応する位置に、ねじ孔１３９が設けられている。
【００３５】
図６に示すように、ブースタ装置１０がブースタ装置固定部１３０に取り付けられている状態において、木ねじ２０を貫通孔１１ｈに挿通してねじ孔１３９と螺合させることにより、ブースタ装置１０を筐体１２０の背面１２２に固定することができる。
【００３６】
本実施形態に係るアンテナ装置１００においては、筐体１２０の背面１２２に設けられているブースタ装置固定部１３０にブースタ装置１０を取り付けることができるため、ブースタ装置１０を取り付けるための取付部材を不要にすることができる。
【００３７】
また、ブースタ装置１０をブースタ装置固定部１３０に取り付けることにより、ケーブル接続用端子とブースタ装置１０の入力端子との間の距離を短くして、ケーブル１５１の必要な長さを短縮することができる。その結果、アンテナ装置１００の受信品質を向上することができる。さらに、ケーブル１５１の接続作業を簡易にすることができる。
【００３８】
さらに、ブースタ装置固定部１３０が、筐体１２０の背面１２２と直交する方向から見て、アンテナ本体１１０と重ならない位置でブースタ装置１０を支持する位置に設けられていることにより、ブースタ装置１０にて発生するノイズがアンテナ本体１１０に影響を及ぼすことを抑制できる。その結果、アンテナ装置１００の受信品質を高く維持することができる。
【００３９】
また、第１壁面部１３２の背面１２２の外周側に位置する端部が、背面１２２の外縁に位置していることにより、ブースタ装置１０を筐体１２０の外側からブースタ装置固定部１３０に容易に取り付けることができる。
【００４０】
(実施形態２)
以下、本発明の実施形態２に係るアンテナ装置について図面を参照して説明する。なお、本発明の実施形態２に係るアンテナ装置２００は、ブースタ装置固定部の向きのみ本発明の実施形態１に係るアンテナ装置１００と異なるため、本発明の実施形態１に係るアンテナ装置１００と同様の構成については説明を繰り返さない。
【００４１】
図７は、本発明の実施形態２に係るアンテナ装置にブースタ装置が接続されている状態を示す背面斜視図である。図８は、本発明の実施形態２に係るアンテナ装置に接続されるブースタ装置を図７の矢印ＶＩＩＩ方向から見た平面図である。図９は、本発明の実施形態２に係るアンテナ装置のブースタ装置固定部を拡大して示す背面図である。
【００４２】
図７〜９に示すように、本発明の実施形態２に係るアンテナ装置２００は、ブースタ装置３０と接続可能なアンテナ装置である。筐体１２０の背面１２２には、ブースタ装置３０が取り付けられるブースタ装置固定部２３０が筐体１２０と一体的に設けられている。
【００４３】
図８に示すように、ブースタ装置３０は、略直方体状の外形を有している。ブースタ装置３０は、高さ方向、高さ方向と直交する幅方向、および、高さ方向および幅方向の両方に直交する厚さ方向をさらに有する。
【００４４】
ブースタ装置３０は、２本の脚部３１を含む。２本の脚部３１の各々は、ブースタ装置３０の背面から突出している。２本の脚部３１は、互いに上記高さ方向において間隔をあけて、上記幅方向に平行に延在している。２本の脚部３１の各々には、ブースタ装置３０の固定用の木ねじ２０が挿通される図示しない貫通孔が設けられている。
【００４５】
図９に示すように、ブースタ装置固定部２３０は、ブースタ装置３０の脚部３１と係合してブースタ装置３０を保持する係合部２３１を含む。ブースタ装置固定部２３０は、筐体１２０の背面１２２と直交する方向から見て、背面１２２の外周側から内周側に向けて延在する第１壁面部２３２と、背面１２２と直交する方向から見て、第１壁面部２３２の延在方向と交差する方向に延在する第２壁面部２３３とをさらに含む。
【００４６】
本実施形態においては、係合部２３１、第１壁面部２３２および第２壁面部２３３の各々は、背面１２２から突出した位置に設けられているが、これに限られず、背面１２２から凹んだ位置に設けられていてもよい。
【００４７】
ブースタ装置固定部２３０は、ブースタ装置３０の２本の脚部３１に対応して、２つの係合部２３１、２つの第１壁面部２３２、および、２つの第２壁面部２３３を含んでいる。すなわち、１つの係合部２３１、１つの第１壁面部２３２、および、１つの第２壁面部２３３が、１つの脚部３１に対応している。よって、ブースタ装置３０の１つの脚部３１のみと係合してブースタ装置３０を保持する場合には、ブースタ装置固定部２３０が、１つの係合部２３１と１つの第１壁面部２３２と１つの第２壁面部２３３とから構成されていてもよい。
【００４８】
第１壁面部２３２は、直線状に延在している。第１壁面部２３２は、短手方向Ｙに延在している。第２壁面部２３３が長手方向Ｘに延在している。第１壁面部２３２の背面１２２の外周側に位置する端部は、背面１２２の外縁に位置している。第２壁面部２３３は、第１壁面部２３２の上記端部より背面１２２の内周側に位置している。
【００４９】
第１壁面部２３２の上記端部は、ブースタ装置３０をブースタ装置固定部２３０内に案内する第３壁面部２３４と繋がっている。第３壁面部２３４は、短手方向Ｙにおいて背面１２２の外周側に行くに従って、長手方向Ｘにおいて第１壁面部２３２から離れるように延在している。
【００５０】
係合部２３１は、第１壁面部２３２と面している。係合部２３１の短手方向Ｙの他方寄りの端部２３１ｂは、背面１２２に固定されている。係合部２３１の短手方向Ｙの一方寄りの端部には、第１壁面部２３２側に突出した突起２３１ｐが設けられている。係合部２３１は、短手方向Ｙの他方寄りの端部２３１ｂを基点にして、長手方向Ｘに弾性変形可能に設けられている。
【００５１】
係合部２３１は、ブースタ装置３０を筐体１２０の背面１２２に沿ってスライド移動させてブースタ装置固定部２３０に対して脱着する際に弾性変形しつつブースタ装置３０と摺接する。具体的には、ブースタ装置３０の脚部３１を第１壁面部２３２に沿ってスライド移動させることにより、脚部３１によって押圧された突起２３１ｐが第１壁面部２３２から離れるように係合部２３１が弾性変形する。この状態において、脚部３１と突起２３１ｐとが摺接する。
【００５２】
係合部２３１は、ブースタ装置３０がブースタ装置固定部２３０に取り付けられている状態において、第１壁面部２３２および第２壁面部２３３とともにブースタ装置３０の脚部３１を囲い込んでブースタ装置３０を保持する。この状態においては、突起２３１ｐが元の位置に戻るように係合部２３１が弾性変形し、突起２３１ｐはブースタ装置３０の脚部３１の短手方向Ｙの一方寄りの端部と接触している。
【００５３】
図９に示すように、筐体１２０の背面１２２には、ブースタ装置３０がブースタ装置固定部２３０に取り付けられている状態における脚部３１の貫通孔の位置に対応する位置に、ねじ孔２３９が設けられている。
【００５４】
図７に示すように、ブースタ装置３０がブースタ装置固定部２３０に取り付けられている状態において、木ねじ２０を貫通孔に挿通してねじ孔２３９と螺合させることにより、ブースタ装置３０を筐体１２０の背面１２２に固定することができる。
【００５５】
本実施形態に係るアンテナ装置２００においては、筐体１２０の背面１２２に設けられているブースタ装置固定部２３０にブースタ装置３０を取り付けることができるため、ブースタ装置３０を取り付けるための取付部材を不要にすることができる。
【００５６】
また、ブースタ装置３０をブースタ装置固定部２３０に取り付けることにより、ケーブル接続用端子とブースタ装置３０の入力端子との間の距離を短くして、ケーブルの必要な長さを短縮することができる。その結果、アンテナ装置３００の受信品質を向上することができる。さらに、ケーブルの接続作業を簡易にすることができる。
【００５７】
さらに、ブースタ装置固定部２３０が、筐体１２０の背面１２２と直交する方向から見て、アンテナ本体１１０と重ならない位置でブースタ装置３０を支持する位置に設けられていることにより、ブースタ装置３０にて発生するノイズがアンテナ本体１１０に影響を及ぼすことを抑制できる。その結果、アンテナ装置２００の受信品質を高く維持することができる。
【００５８】
また、第１壁面部２３２の背面１２２の外周側に位置する端部が、背面１２２の外縁に位置していることにより、ブースタ装置３０を筐体１２０の外側からブースタ装置固定部２３０に容易に取り付けることができる。
【００５９】
なお、今回開示した上記実施形態はすべての点で例示であって、限定的な解釈の根拠となるものではない。したがって、本発明の技術的範囲は、上記した実施形態のみによって解釈されるものではなく、特許請求の範囲の記載に基づいて画定される。また、特許請求の範囲と均等の意味および範囲内でのすべての変更が含まれる。
【符号の説明】
【００６０】
１  取付対象物、２  支持金具、３  挟み板、４  頭付ボルト、１０，３０  ブースタ装置、１１，３１  脚部、１１ｈ  貫通孔、１２  第１入力端子、１３  第２入力端子、１４  出力端子、２０  木ねじ、１００，２００，３００  アンテナ装置、１１０  アンテナ本体、１２０  筐体、１２１  外周面、１２２  背面、１３０，２３０  ブースタ装置固定部、１３１，２３１  係合部、１３１ｂ，２３１ｂ  端部、１３１ｐ，２３１ｐ  突起、１３２，２３２  第１壁面部、１３３，２３３  第２壁面部、１３４，２３４  第３壁面部、１３９，２３９  ねじ孔、１４０  突出部、１５０  端子カバー、１５１  ケーブル、Ｘ  長手方向、Ｙ  短手方向、Ｚ  厚さ方向。
【図１】
0006672030.tif 000002
【図２】
0006672030.tif 000003
【図３】
0006672030.tif 000004
【図４】
0006672030.tif 000005
【図５】
0006672030.tif 000006
【図６】
0006672030.tif 000007
【図７】
0006672030.tif 000008
【図８】
0006672030.tif 000009
【図９】
0006672030.tif 000010